(57)【要約】【目的】移動する人の行動の認証等を安全にかつ簡便に行う。【構成】位置認識機能付き携帯情報機器の携帯者甲が乙に対する行動を前記携帯情報機器と交信する丙が承認することを前記丙と乙と甲との間の３者交信で丙から乙および甲に知らせることを特徴とする移動体交信システム。【選択図】図１
2004013876.tif 000002
【特許請求の範囲】
【請求項１】
位置認識機能付き携帯情報機器の携帯者甲が乙に対する行動を前記携帯情報機器と交信する丙が承認することを前記丙と乙と甲との間の３者交信で丙から乙および甲に知らせることを特徴とする移動体交信システム。
【請求項２】
請求項１の移動体交信システムにおいて、甲は丙のクレジットカード等の使用者で乙は商店であることを特徴とする移動体交信システム。
【請求項３】
請求項１の移動体交信システムにおいて、甲は丙の扶養家族であることを特徴とする移動体交信システム。
【請求項４】
請求項１の移動体交信システムにおいて、丙は甲が勤務する会社の管理部門であることを特徴とする移動体交信システム。
【請求項５】
請求項１から４の移動体交信システムにおいて、丙は乙に対して乙の認証のための情報を送信することを特徴とする移動体交信システム。
【請求項６】
請求項１から４の移動体交信システムにおいて、丙は乙に対して乙の認証のための顔写真を送信することを特徴とする移動体交信システム。
【発明の詳細な説明】
【０００１】
【産業上の利用分野】移動体交信システムに関する。
【０００２】
【従来の技術】従来、扶養家族が一人で買い物をする場合には現金を持たせるか扶養主である親の管理するクレジットカードを持たせるかの手段を採っていた。現金の場合には事故に巻き込まれる懸念があり、クレジットカードの場合には前記扶養家族がどのようにクレジットカードを使用するか制御できないのが現状である。
【０００３】
【発明が解決しようとする課題】クレジットカードを扶養家族が使用する場合に、その買い物を受け付ける商店側が扶養主に確認の電話を入れる場合がある。この確認の作業が煩雑であったり、不正確であったりすることでトラブルが生じる場合も少なくない。
【０００４】
【課題を解決するための手段】本発明の移動体交信システムは、第１に位置認識機能付き携帯情報機器の携帯者甲が乙に対する行動を前記携帯情報機器と交信する丙が承認することを前記丙と乙と甲との間の３者交信で丙から乙および甲に知らせることを特徴とし、
第２に、第１の特徴に加えて、甲は丙のクレジットカード等の使用者で乙は商店であることを、
第３に、第１の特徴に加えて、甲は丙の扶養家族であることを、
第４に、第１の特徴に加えて、丙は甲が勤務する会社の管理部門であることを、第５に、第１から第４のいずれかの特徴に加えて、丙は乙に対して乙の認証のための情報を送信することを、
第６に、第１から第４のいずれかの特徴に加えて、丙は乙に対して乙の認証のための顔写真を送信することを特徴とする。
【０００５】
【発明の実施の形態】本発明の移動体交信システムにおいて、第１に位置認識機能付き携帯情報機器の携帯者甲が乙に対する行動を前記携帯情報機器と交信する丙が承認することを前記丙と乙と甲との間の３者交信で丙から乙および甲に知らせることを特徴とする場合には、前記乙は例えばＧＰＳ付き携帯電話を携帯して外出してその出先で乙に対して行動する際にその承認を責任者（丙）に求める。丙は承認する旨を甲と乙の両者に電話またはインターネットなどで伝達する。
第１の特徴に加えて、甲は丙のクレジットカード等の使用者で乙は商店である第２の特徴を備える場合には、丙が支払い責任を有するクレジットカードや電子マネーなどを甲が携帯して書店やレストランやレンタカー店やスポーツジムなどに行く。列記した書店等を本発明では商店と呼ぶ。そして、甲は前記商店で前記クレジットカード等を使用して買い物を行うのであるが、その際にこのクレジットカード等の使用を前記支払い責任者丙が３者電話にて了承する。この３者電話での承認を具体的に述べると甲、乙、丙の３者が同時に会話できる電話で丙が甲と乙の両者に承認の旨を伝える場合や、インターネットメールにて丙が甲と乙の両者に承認の旨のメールを送信する。またはその両方を行うことなどである。
第３に、第１の特徴に加えて、甲は丙の扶養家族であることを特徴とする場合には、丙が世帯主で甲はその家族といった関係などである。
第４に、第１の特徴に加えて、丙は甲が勤務する会社の管理部門であることを特徴とする場合には例えば甲は会社の営業マンで丙は甲の出張旅費や営業雑費を管理する部門といった関係である。
第５に、第１から第４のいずれかの特徴に加えて、丙は乙に対して乙の認証のための情報を送信することを特徴とする場合には、丙は甲を本人と確認するための暗証番号やニックネームや年齢などの認証情報を乙に電話やメールなどで送付する。
第６に、第１から第４のいずれかの特徴に加えて、丙は乙に対して乙の認証のための顔写真を送信することを特徴とする場合には甲の認証情報として顔写真をＦＡＸや電子ファイルとして送付する。動作に特徴がある場合にはビデオ情報を送信する。
【０００６】
【実施例】本発明の実施例１について図１を用いて説明する。未青年の子供が扶養主である親の許可を得てレストランで食事をする際に、前記子供１が携帯している位置認識機能付きの携帯電話を利用して親から許可された行動である旨をレストラン経営者に知らしめる例である。前記子供は前記位置認識機能付きの携帯電話を所持して移動する。まず、前記子供はレストランの入り口にてレストラン店主２に、自分は親の許可を得てレストランで食事をすることとその支払いは親が支払い責任者であるクレジットカードを利用する旨を伝える。この伝達のために前記子供は自身の位置認識機能付きの携帯電話から親３および前記レストラン店主３に同時に電話を掛けて３者通話を行う。親は前記携帯電話の位置情報を自動受信して指定したレストランに前記子供がいることを確認して、子供に前記クレジットカードで食事をさせたい旨をレストラン店主に申し入れる。レストラン店主は親の確認が取れたので子供を席に案内してメニューを提示する。予め親から指定があればその指定メニューを提示する。例えばビールなどのアルコールが掲載されていない子供用のメニューを提示する。子供が食事を終えて会計をする際には再び３者通話を行って代金の支払いを親が承認したことを店主が確認する。支払い明細はインターネットメールによって店主から親に提示する場合もある。
【０００７】
第２の実施例について説明する。第１の実施例に類似した例であるが、前記親も子供と同様に位置認識機能を備えた携帯端末を所持して前記の確認・承認作業を行う点が異なる。この例ではレストラン店主ではなく託児所の係員であることが相違点である。前記係員は夕方の子供引取り時間になると親が子供に預けている電話および親の電話との間で３者電話会話を実施する。前記係員は親の現在位置を確認して引取り時間を予測できるので、子供の帰り仕度を開始すべき時間を予測できる。日中、係員が子供のことで親に承認を得たい案件があった場合には親に電話をする。この場合には親の現在位置を確認して自宅や会社など予め登録されている場所にいることがわかればその位置の固定電話にかけ直す。親の位置については別の利用方法もある。会議中や神経を集中すべき仕事をしている場合には電話をかけてもらいたくないという状況もある。その場合には親は予め「この場所にいる時には電話をしないで」という登録をしておく。係員はその場所にいることを確認した時には緊急時以外は電話をかけないようにする。
【０００８】
第３の実施例について説明する。第
【０００９】
第４に、第１の特徴に加えて、丙は甲が勤務する会社の管理部門であることを特徴とする場合には例えば甲は会社の営業マンで丙は甲の出張旅費や営業雑費を管理する部門といった関係である。
【００１０】
第５に、第１から第４のいずれかの特徴に加えて、丙は乙に対して乙の認証のための情報を送信することを特徴とする場合には、丙は甲を本人と確認するための暗証番号やニックネームや年齢などの認証情報を乙に電話やメールなどで送付する。
【００１１】
第６に、第１から第４のいずれかの特徴に加えて、丙は乙に対して乙の認証のための顔写真を送信することを特徴とする場合には甲の認証情報として顔写真をＦＡＸや電子ファイルとして送付する。動作に特徴がある場合にはビデオ情報を送信する。
【００１２】
【発明の効果】本発明の
【図面の簡単な説明】
【図１】本発明の実施例１を示す構成図である。
【符号】１は子供、２はレストラン店主、３は親である。
【図１】
2004013876.tif 000003
【図２】
2004013876.tif 000004
【手続補正書】
【提出日】平成14年8月17日(2002.8.17)
【手続補正１】
【補正対象書類名】明細書
【補正対象項目名】０００８
【補正方法】変更
【補正の内容】
【０００８】
第３の実施例について説明する。第３に、第１の特徴に加えて、甲は丙の扶養家族であることを特徴とする場合には、丙が世帯主で甲はその家族といった関係などである。


【手続補正２】
【補正対象書類名】明細書
【補正対象項目名】００１２
【補正方法】変更
【補正の内容】
【００１２】
【発明の効果】
本発明の移動体交信システムは移動する人の行動の認証等を安全にかつ簡便に行うことができる。


【手続補正３】
【補正対象書類名】図面
【補正対象項目名】図２
【補正方法】削除
【補正の内容】